(57)【特許請求の範囲】
【請求項１】
上編地と下編地を同時に編成しつつ、それらの上下の編地間を連結糸によって連結し、それらの上下の編地間に隙間を設けて編成されたダブルラッシェル経編地と、遠赤外線放射性鉱物粉末を配合した塗料を部分的に塗着した遠赤外線放射性布帛が重ね合わされており、ダブルラッシェル経編地と遠赤外線放射性布帛の通気度（ＪＩＳ−Ｌ−１０１８）が１０ｃｃ／ｃｍ2 ／ｓｅｃ以上であり、その遠赤外線放射性布帛の上に通気度（ＪＩＳ−Ｌ−１０１８）が１０ｃｃ／ｃｍ2 ／ｓｅｃ以上の上敷布帛が重ね合わされており、ダブルラッシェル経編地と遠赤外線放射性布帛と上敷布帛がミシン糸目によって縫合されており、そのミシン糸目が全面に分布していることを特徴とする介護用マット。
【請求項２】
前掲請求項１に記載の遠赤外線放射性鉱物粉末を配合した塗料の塗膜が発泡している前掲請求項１に記載の介護用マット。
【請求項３】
前掲請求項１に記載の遠赤外線放射性布帛とダブルラッシェル経編地の間に消臭性不織布が介在し、遠赤外線放射性布帛の上には抗菌性布帛が重ね合わされており、その抗菌性布帛の上に上敷布帛が重ね合わされており、それらの上敷布帛と抗菌性布帛と遠赤外線放射性布帛と消臭性不織布とダブルラッシェル経編地がミシン糸目によって縫合し一体化されており、そのミシン糸目が全面に分布しており、消臭性不織布と抗菌性布帛の通気度（ＪＩＳ−Ｌ−１０１８）が１０ｃｃ／ｃｍ2 ／ｓｅｃ以上である前掲請求項１に記載の介護用マット。
【発明の詳細な説明】
【０００１】
【発明の属する技術分野】
本発明は、介護用マット、特に、長期療養者のベット下敷に適したマットに関するものである。
【０００２】
【従来の技術】
ベットでの長期療養者には褥蒼が生じ易く、その予防を目的としたベットや下敷マットが開発されている。例えば、ウオーターベットは、療養者の体重が体全体に均等に分散され、局部的に体重が集中しないので褥蒼が起き難いとされる。又、立体的に網目構造を成すダブルラッシェル経編地は、通気性に富むので蒸れによる褥蒼が起き難いとされる。或いは又、遠赤外線や磁力線放射性物質を積層したマットは、それらの電磁波が血液の循環を促すので褥蒼の予防に有効とされる。
【０００３】
【発明が解決しようとする課題】
褥蒼は、単に体重の集中作用、発汗、或いは蒸れだけによってではなく、失禁や垢による老廃物を栄養源として頻繁する菌類によって促される。しかし、従来のベットや下敷マットでは、これらの点について配慮されていない。例えば、ウオーターベットは、防水構造になっているので蒸れによる褥蒼が起き易く、高価で装置としても大掛かりなもので清掃も容易ではなく簡便には使用し得ない。ダブルラッシェル経編地は、通気性に富んでいて蒸れ難いものの、体重を全身に分散させるものではない。そして、遠赤外線や磁力線放射物質を積層したマットでは、蒸れによる褥蒼が起き易い。
【０００４】
【発明の目的】
そこで本発明は、常に衛生的に保つことが出来て菌類が繁殖し難く、発汗、失禁、垢等によって付着した老廃物からの臭気もなく、体重の集中する接触部位では血行が促され、通気性に富んでいて蒸れ感を与えず、褥蒼予防に有効な介護マットを得ることを目的とする。
【０００５】
【課題を解決するための手段】
本発明に係る介護用マットは、上編地１１と下編地１２を同時に編成しつつ、それらの上下の編地間１１・１２を連結糸によって連結し、それらの上下の編地間１１・１２に隙間を設けて編成されたダブルラッシェル経編地１０と、遠赤外線放射性鉱物粉末を配合した塗料１４を部分的に全面に塗着した遠赤外線放射性布帛１３を重ね合わせて構成されていることを第１の特徴とする。
【０００６】
本発明に係る介護用マットの第２の特徴は、上記第１の特徴に加え、遠赤外線放射性鉱物粉末を配合した塗料１４が発泡していることにある。
【０００７】
本発明に係る介護用マットの第３の特徴は、上記第１と第２の特徴に加え、遠赤外線放射性布帛１３とダブルラッシェル経編地１０がミシン糸目１８によって縫合し一体化されており、そのミシン糸目１８が全面に分布していることにある。
【０００８】
本発明に係る介護用マットの第４の特徴は、上記第１と第２と第３の特徴に加え、遠赤外線放射性布帛１３とダブルラッシェル経編地１０の間に消臭性不織布１７が介在し、遠赤外線放射性布帛１３の上には抗菌性布帛１５が重ね合わされており、それらの抗菌性布帛１５と遠赤外線放射性布帛１３と消臭性不織布１７とダブルラッシェル経編地１０がミシン糸目１８によって縫合し一体化されており、そのミシン糸目１８が全面に分布していることにある。
【０００９】
本発明に係る介護用マットの第５の特徴は、上記第１と第２と第３と第４の特徴に加え、抗菌性布帛１５の上に上敷布帛１６が重ね合わされており、上敷布帛１６と抗菌性布帛１５と遠赤外線放射性布帛１３と消臭性不織布１７とダブルラッシェル経編地１０がミシン糸目１８によって縫合し一体化されており、そのミシン糸目１８が全面に分布していることにある。
【００１０】
【発明の実施の形態】
ダブルラッシェル経編地１０の構造や製法については、特許第２８２３５１６号（特開平８−１２７９４９）、特許第２７９９６３０号（特開平４−１２４３０１）、特許第２７２０９８５号（特開平２−７４６４８）、特許第２７１４７５５号（特開平７−２５６８０４）、特公平７−１０９０５０号（特開昭６２−２８２０５３）、特公平７−６１２０号（特開昭６２−６９８６２）、特公平２−８０６２号（特開昭６３−２８９５６）等の特許公報に記載されている。ダブルラッシェル経編地１０を構成する上編地１１と下編地１２の少なくとも何れか一方をネット状に編成し、そのネット状編地（１２）を外側、即ち、遠赤外線放射性布帛１３の反対側に向けて使用するとよい。
【００１１】
遠赤外線放射性鉱物としては、アルミナ、マグネシア、ジルコニア、酸化チタン、二酸化珪素、酸化クロム、フェライト、スピネル、セリウム、バリウム等の酸化物系セラミック、炭化硼素、炭化硅素、炭化チタン、炭化モリブデン、炭化タングステン等の炭化物系セラミック、窒化硼素、窒化アルミニウム、窒化硅素、窒化ジルコン等の窒化物系セラミック、炭素、グラフアイト等の非金属、タングステン、モリブデン、バナジウム、白金、タンタル、マンガン、ニッケル、酸化銅、酸化鉄等の金属、ニクロム、カンタル、ステンレス、アルミナ等の合金、雲母、蛍石、方解石、水晶等の鉱物が使用される。これらの中でも、好ましい遠赤外線放射性鉱物はアルミナとジルコニアである。
【００１２】
それらの遠赤外線放射性鉱物は、粒径０．１〜５０μｍの微粉末にし、塗料に配合し、塗着面積１０ｃｍ2 以下、好ましくは塗着面積２ｃｍ2 以下となる直径３〜１５ｍｍの円形、多角形等の点状に布帛に塗着される。その点状を成して隣合う塗着箇所と塗着箇所の間には５〜５０ｍｍのスペースを設ける。塗料はミキサーによって機械的に発泡させ、或いは、熱分解ガスを発生する発泡剤を塗料１４に配合して、その塗膜を布帛から隆起した発泡塗膜（１４）とする。塗料には、ウレタン樹脂、アクリル樹脂、エチレン・酢酸ビニル共重合樹脂が使用される。塗料は、キチン・キトサンやシルクの微粉末を配合して調製するとよい。遠赤外線放射性鉱物の種類や塗料への配合率、或いは、布帛への塗着量等は、３０〜４０℃で波長が１０〜２０μｍの遠赤外線を８５％以上の放射率で放射するように設定されるが、概して、その配合率は塗料樹脂分１００重量％に対して遠赤外線放射性鉱物微粉末を５〜３０重量％（５〜３０Ｐ．Ｈ．Ｒ．）にし、塗着量は２０ｇ／ｍ2 以上にするとよい。塗料１４は布帛１３の全面に捺染スクリーンやグラビアロール等を使用して塗着する。
【００１３】
ダブルラッシェル経編地１０と遠赤外線放射性布帛１３の間には、抗菌性と消臭性を有する不織布１７を介在させるとよい。抗菌消臭性不織布１７は、銀イオン、亜鉛イオン、錫イオン等の抗菌性金属イオンを含有するセピオライト、シロタイル、ラフリナイト、ファルコンドナイト、パリゴルサイト等の含水硅酸化合物、ジルコニウムとセリウムの水酸化物、アルミナ、硅石、酸化亜鉛、酸化チタン、酸化マグネシウム、ゼオライト、蛇紋石、角閃石等の抗菌性鉱物粉末を練り込んだ合成繊維によって構成することが出来る。又、抗菌消臭性不織布１７は、これらの抗菌性鉱物粉末や、３−４−４′−トリクロロカルバニリド、ジメチルアジペート、ジエチルアジペート、ジイソブチアジペート、ジメチルフマレート、ジイソブチルフマレート、２−４−４−トリクロロ−２′−ヒドロキシフェニルエーテル、２−２′−メチレンビス（３−４−４′−トリクロロフェノール）、２−２−′−ビスチオ−４−６−ジクロロフェノール、α−ブロモシンナミックアルデヒド、カルボキシフタロシアニン金属錯体、第１鉄−Ｌ−アスコルビン酸、アミドホスファゼン化合物等の抗菌消臭性化合物をバインダーと共に不織布に付与して構成することも出来る。好ましくは不織布（１７）に一価銅イオンを吸着させ、チオ硫酸イオン水溶液で処理して硫化銅に一価銅イオンを変換させた抗菌消臭性不織布１７を用いる。
【００１４】
遠赤外線放射性布帛１３の上には、抗菌性布帛１５を重ね合わせるとよい。その抗菌性布帛１５は、前記の抗菌消臭性不織布１７と同様にして構成される。即ち、前記の鉱物や硫化銅等は、抗菌機能と消臭機能を有するので、遠赤外線放射性布帛１３の上下に重ね合わされる消臭性不織布１７と抗菌性布帛１５の何れにも適用することが出来、又、ダブルラッシェル経編布１０や遠赤外線放射性布帛１３にも適用することが出来、又、抗菌性布帛１５の上に表面保護と装飾を兼ねて上敷布帛１６を重ね合わせるときは、その上敷布帛１６にも適用することが出来る。
【００１５】
これらの布帛（１０，１３，１５，１７，１６）には合成繊維、好ましくは原着の合成繊維、特に、低吸湿性のポリエステル繊維かポリオレフイン繊維を用い、通気度（ＪＩＳ−Ｌ−１０１８）を１０ｃｃ／ｃｍ2 ／ｓｅｃ以上に調製する。ミシン糸目１８による縫合にはキルテイングミシンを用い、重ね合わせた布帛（１０，１３，１５，１７，１６）の全面にわたって一定間隔でミシンを当てる。
【００１６】
【発明の効果】
遠赤外線放射性物質は、体温によって３０℃以上に加温される遠赤外線を放射し、これが皮膚の４０〜５０ｃｍの深さまで透過して身体のイオン化作用を促し、細胞を活性化し血行を促すので、褥蒼が予防される。本発明の介護用マットでは、それを介護用ベットの下敷マットに使用する場合、体重が集中作用して褥蒼が生じるとされる部位が遠赤外線放射性物質に密着状態になり、又、遠赤外線放射性鉱物粉末を配合した塗料の塗膜（１４）が布帛１３の布目に応じて発泡した細かい起伏を形成し、その起伏の分だけ塗膜（１４）の表面積が大きくなるので、遠赤外線の放射率が高まり、遠赤外線が強く作用して褥蒼予防の効果が高まる。
【００１７】
本発明の介護用マットでは、遠赤外線放射性布帛１３の下側に空隙が大きく通気性とクッション性に富むダブルラッシェル経編布１０が介在し、重ね合わされた布帛（１０，１３，１５，１７，１６）を縫合するミシン糸目１８が介護用マットの上下に貫通した通気孔を形成するので、介護用マット全体に高い通気性が確保される。更に本発明では、遠赤外線放射性物質配合塗料１４を部分的に塗着しているので、介護用マット全体の通気性を阻害せず、介護用マットを使用して蒸れ、褥蒼が促されるようなことはない。そして、上下の編地間１１・１２を連結する連結糸がネット状に介在している分だけ厚みの差が部分的にあってダブルラッシェル経編布１０が凹凸感を与えるとしても、その表面（上側）が遠赤外線放射性布帛１３や上敷布帛１６、抗菌性布帛１５、消臭性不織布１７に覆われているので、その凹凸感が介護用マット全体に細かく分散して感じられ、横臥して使用中に介護用マットから程よい指圧感が伝わって安眠が促される。
【００１８】
更に、ポリエステル繊維やポリオレフイン繊維によって構成される介護用マットでは洗濯後の乾燥も速く、又、原着合成繊維や抗菌・消臭剤成分が内部に介在する合成繊維によって構成される介護用マットでは染料や抗菌・消臭剤が肌身に直接触れたり滲み出ることはなく、而も又、抗菌消臭性布帛（１５・１７）を重ね合わせた介護用マットでは菌類やダニ等の微細生物が繁殖せず常に清潔に保たれる。このように本発明によると、褥蒼予防に効果的で介護用ベットの下敷シーツに好適な介護用マットが得られる。
【図面の簡単な説明】
【図１】本発明に係る介護用マットの断面図である。
【符号の説明】
１０  ダブルラッシェル経編地
１１  上編地
１２  下編地（ネット状編地）
１３  遠赤外線放射性布帛
１４  遠赤外線放射性鉱物粉末配合塗料（塗膜）
１５  抗菌性布帛
１６  上敷布帛
１７  消臭性不織布（抗菌消臭性不織布）
１８  ミシン糸目
【図１】
0003787804.tif 000002